(57)【要約】      （修正有）【課題】投擲における的への命中精度を高めるとともに、長い射程距離実現し、スポーツ競技用に適した棒手手裏剣を提供する。【解決手段】重金属材料から成る鏃１と軽材料から成る円筒状シャフト２が、接合部３でネジで組み合わされまたは一体形成されている。重心（G）または重心（G）のマーカー４が、鏃の切っ先部分のみの重心（ｇ）または重心（ｇ）のマーカー５の位置からシャフト末尾２−２までの長さを１００とし、同位置から剣の重心（G）または重心（G）のマーカー４までの距離が、対する比として１７から２３となる特定した数値の範囲に入るように構成する。【選択図】図１
2011036493.tif 000002
【特許請求の範囲】
【請求項１】
重金属材料から成る鏃１と軽材料から成る円筒状シャフト２が、接合部３でネジで組み合わされまたは一体形成されて、重心（G）または重心（G）のマーカー４が、鏃の切っ先部分のみの重心（ｇ）または重心（ｇ）のマーカー５の位置からシャフト末尾２−２までの長さを１００とし、同位置から剣の重心（G）または重心（G）のマーカー４までの距離が、対する比として１７から２３となる特定した数値の範囲にあり、鏃の柄部分１−２とシャフトの表面２−１に滑り止めのある棒手裏剣。
【発明の詳細な説明】
【技術分野】
【０００１】
本発明は、棒手裏剣に関するものである。
【背景技術】
【０００２】
従来の棒手裏剣（以下、剣という）の直打法による徒手での投擲（以下、投打ともいう）による射程距離は、物理的構造上の問題から４間半（約８ｍ）を限度としその命中率は、一概に言うところ０％に近く低調であった。
【０００３】
また、通常の練習で２間半（約４．５ｍ）の的への投擲でも格段の熟練を要し、競技性を求めるにも、老若男女個々の力量を幅広く競い投打に興味を持つに至る条件付けがなかった。
【０００４】
ここで言う物理的構造上の問題とは、従来の剣は重心を剣の中央寄りに置くため、飛行方向前後に回転することと、剣に積極的にスナップを求める構造にないため剣に直進性を求めるライフル旋回がなく、この両者を原因とてダッチロールして剣は、的に横当たりして刺さらないことを指す。
【０００５】
これに対し本剣では、重心（G）または重心（G）のマーカー４が、鏃の切っ先部分のみの重心（ｇ）または重心（ｇ）のマーカー５の位置からシャフト末尾２−２までの長さを１００とし、同位置から剣の重心（G）または重心（G）のマーカー４までの距離が、対する比として１７から２３となる数値の範囲にあり、さらに、鏃の柄１−２とシャフト表面（滑り止め）２−１の凹凸、ざら目、または、シボ模様を設けてスナップを掛けやすくしたことから、ライフル旋回によるラジオ効果で前後の回転のない前方直方進向の姿勢を剣に保たせた長距離到達の命中を高めた。
【０００６】
ここで、図５、図６に示す剣の把持の構えでは、剣の中心線１１が剣の把持で形成し飛翔方向をイメージする方向線１２と、略２０°斜めの構えとなるが、図７に見る手の甲が下向きの振り下ろしになる本剣の構造に由来する投擲となる。    
【０００７】
投擲時に剣にスナップが掛かる態様の説明としては、人差し指の第一関節の指の腹７と中指の第二関節の指の腹８の中間が、剣の重心（G）または重心（G）のマーカー４の支点となり、振り下ろしのモーション《図７⇒印（a）の手イ、ロ、ハの動き》が、約５０分の１秒ほどの瞬間で手離れする時、親指の第三関節裏側の肉丘１０と親指の第一関節の指の腹９が剣尾を、また同時的に、人差し指の指の腹７がシャフト表面（滑り止め）２−１を押し擦って、進行方向⇒印（ｂ）に向かい回転モーメント（ｃ）のライフル旋回を生む、とする。
【発明の概要】
【発明が解決しようとする課題】
【０００８】
従来、剣は忍法の武術として打法や剣の構造が秘匿とされ技法等が公知の域に無く、実戦的には右手で刀を扱う戦略や武道の方略上の理由から、左手で剣を打つ手練手管にあり、スポーツ競技として近代的な発展の足枷となってきていた。
【０００９】
この点、本剣はより現代的で正統なスポーツ競技として長い射程距離と高い命中率を競技とするとし、ここでは、運動エネルギー量や的中の成果測定を射程距離と命中率の２点で競演できることから、ルール化の下に学校の体育競技に導入しうる科学性を有し、合理性ある高度の身体性と精神性を託つスポーツとして、また、体育面で学術的な運動性の評価が得られるとし、一方、経済的側面を有し、何時でも何処でも気軽に比較的狭い場所で楽しめ、常に記録に挑戦し得て、スポーツ文化の面での人知人力の限りの探求があるとする。
【００１０】
このことは、本剣が極めて広範にスポーツ性を有し、競技としての運営と運用を世界に目指し得るものであると位置づけられ、将来への体育の高揚発展に貢献して、オリンピック種目を目指し得るとするものである、とする。
【課題を解決するための手段】
【００１１】
重金属材料から成る鏃１と軽材料から成る円筒状シャフト２が、接合部３でネジで組み合わされまたは一体形成されて、重心（G）または重心（G）のマーカー４が、鏃の切っ先部分のみの重心（ｇ）または重心（ｇ）のマーカー５の位置からシャフト末尾２−２までの長さを１００とし、同位置から剣の重心（G）または重心（G）のマーカー４までの距離が、対する比として１７から２３となる特定した数値の範囲にあり、鏃の柄部分１−２とシャフトの表面２−１に滑り止めのある棒手裏剣。
射程距離を長くし命中率を高めるため、本剣は鉄、亜鉛、真鍮などの重い金属材料から成る鏃１と竹木、ジュラルミン、合成樹脂、グラスファイバーなどの比較的軽い材料から成る円筒状のシャフト２が、接合部３でネジで組み合わされ、または、接着剤で接着され、または、一体形成されて、剣の重心（G）または重心（G）のマーカー４の位置が、鏃の切っ先部分１−１のみの重心（ｇ）または重心（ｇ）のマーカー５からシャフト末尾２−２までの長さを１００とし、同位置から剣の重心（G）または重心（G）のマーカー４までの距離が、対する比として１７から２３となる特定する徒手初速の差の発生を見込んだ数値の範囲の距離にある構造とした。
滑り止めとしては凹凸、ざら目やシボ模様とするのが良い。
【００１２】
因みに、剣尾２−２の方向に比として２３の数値以上の距離に重心を配置すると、徒手による初速を充分に獲得しても、剣は回転し的中が望めなくなる。
【００１３】
逆に、鏃１の方向に比として１７の数値以下の距離に重心を配置すると、剣尾の尻振りが顕著に現れの柄を持って金槌を投げるのに似て的中が望めなくなり、そこで、更に滑り止めを設けてスナップを掛けやすくし、ライフル旋回を生起せしそのラジオ効果により直進性を求める構造とした。
【発明の効果】
【００１４】
また、高速撮影の映像の観察から、旋回数が１１回転／１２メートルというライフル旋回数が認められた。割り出した回転数は、従来に見る著述の無回転、または、４分の１回転などとしていることに対反的である。
【００１５】
【数１】
2011036493.tif 000003
【００１６】
本剣は、従来の剣の投打の的中率を２５０％アップさせ、「よく飛んで正しく的に刺さる剣」としての本剣のモットーを示した。
【００１７】
又、図８の『掴打法』と称する剣の把持の図で、剣尾を親指の第一関節と人差し指と中指の第２〜3関節に挟み掴んで上手投げで投打する打ち方で、最高４３．７ｍの射程距離を達成させ、競技的な趣向を多様として能力に従い記録は永久に書き換えられ更新されるとする。
【図面の簡単な説明】
【００１８】
【図１】剣全体の見取り図
【図２】前方視図
【図３】後方視図
【図４】A―Aの断面図
【図５】投打の手の構えの上視図
【図６】投打の手の構えの下視図
【図７】振り下ろす手のイ、ロ、ハの段階順の重心G、又は、重心位置を示す重心マーカー５のライフル旋回を表示す図
【図８】『掴打法』と称する剣の把持の図
【図９】鏃の切っ先部分１−１のみの重心（ｇ）５の位置決め
【図１０】鏃切っ先端が扁平な剣の見取り図
【発明を実施するための形態】
【実施例】
【００１９】
剣の全長は、男女の標準的な掌手のサイズから設計に繋がる寸法を得るが、ここでは２１ｃｍ〜２３ｃｍとし、部品とする樹脂製の円筒状シャフトの長さ９ｃｍ〜１６ｃｍ、そして、鏃の長さ６ｃｍ〜１２ｃｍ、直径０．７ｃｍ〜１．１ｃｍ、重さ４０ｇ〜６０ｇの各範囲で現実的である。
【００２０】
実施例で、太さ１０ｍｍπ、重さ４５ｇならびに長さ１０cmの鉄の鏃１に接合するABS樹脂製の円筒状胴体のシャフト２は、長さ１２cm、太さ１０ｍｍπで、全長が２２ｃｍ、全重量５０ｇの剣となる。この場合、剣の重心の位置は４．５cmを実測し特定する数値の範囲にあり、直打法に習熟した者の投打では、この場合、１２メートルの射程距離で命中率は９５％で的中し最長命中距離は２７mを越えた。
【００２１】
ここで、鏃の切っ先部分の重心（ｇ）または重心（ｇ）のマーカー５は、正円錐の場合いは計算により算出して印せるが、実際では、鏃の剣先部分１−１の表面または峰１−４は自由線が多いため同じものを切断し重心（ｇ）のマーカー５を印す実測の手法をとる。
【００２２】
また、図１０に示す先端が扁平な鏃の剣は、平成２１年６月１日から施行の新銃刀法に関連し、公序良俗の法令遵守の建前から剣先を半球乃至はが扁平１−３にし、この場合、剣の重心（G）の位置が本案通り特定され滑り止めが設けられれば、形状に係りなく極めて良好な射程距離と命中率を保ち得ることを強調し付言する。
【００２３】
また、剣は胴体が筒状であるので、剣尾にキャップを取り付けるか、鏃の金属部分のインサート成型で一体成型して、シャフト末尾２−２の形状を閉じて追剣を避ける構造とする。              
【産業上の利用可能性】
【００２４】
構造が簡単で経済的に量産が可能な本発明品は、スポーツとして近代的な体育学の形成に有望な競技用品として安価に提供でき、現代スポーツを支える産業界と体育の教育界に極めて貢献的であり得る。
【符号の説明】
【００２５】
１      鏃
１−１鏃の切っ先部分
１−２鏃の柄の部分
１−３鏃の柄の部分の表面
１−４鏃の切っ先部分（自由線）
１−５扁平な鏃の先端
２      シャフト
２−１シャフト表面（滑り止め）
２−２シャフト末尾
３     接合部
３−１継ぎ目
４      手裏剣全体の重心（G）、又は、重心（G）のマーカー
５      鏃の切っ先部分の重心（ｇ）、又は、重心（ｇ）のマーカー
６      鏃の接合部で埋設されて見えない部分
７      人差し指の第一関節の指ノ腹の中央  
８      中指の第二関節の指の腹
９      親指の第一関節の指の腹
１０    親指の第三関節裏側に当たる肉丘
１１    方向線
１２    中心線
【図１】
2011036493.tif 000004
【図２】
2011036493.tif 000005
【図３】
2011036493.tif 000006
【図４】
2011036493.tif 000007
【図５】
2011036493.tif 000008
【図６】
2011036493.tif 000009
【図７】
2011036493.tif 000010
【図８】
2011036493.tif 000011
【図９】
2011036493.tif 000012
【図１０】
2011036493.tif 000013